(57)【要約】  【課題】  本発明は、水晶球を介してLED光を照射する光照射健康器具において、安眠を誘導するために一人でもリラックスして額等の部位に一定距離をおいて光を照射できるようにすることを課題とする。  【解決手段】  光照射安眠器具として、電源により発光するLEDと、前記LEDの前方に載置される球状の水晶とを保持する光照射手段と、前記光照射手段の先端部と、水平面に寝た状態の使用者の所定の照射部位との間に所定の距離ができるように前記光照射手段を前記水平面もしくは前記水平面に平行な水平面に支持する支持手段とを設ける。【選択図】  図１
2006116108.tif 000002
【特許請求の範囲】
【請求項１】
電源により発光するLEDと、前記LEDの前方に載置される球状の水晶とを保持する光照射手段と、
前記光照射手段の先端部と、水平面に寝た状態の使用者の所定の照射部位との間に所定の距離ができるように前記光照射手段を前記水平面もしくは前記水平面に平行な水平面に支持する支持手段と
を有する光照射安眠器具。
【請求項２】
前記支持手段は、前記先端部の上下位置を調整することができる請求項１に記載の光照射安眠器具。
【請求項３】
前記支持手段は、前記光照射手段を着脱可能に支持する請求項１又は２に記載の光照射安眠器具。
【発明の詳細な説明】
【技術分野】
【０００１】
本発明は光を照射することにより、安眠に導くことを補助するための器具に関する。
【背景技術】
【０００２】
従来から、水晶を通して光を照射することにより健康を維持、促進するための器具が提案されている。下記特許文献１には、このような光照射健康器具としてLED光源を用いて、水晶などの鉱石を通して光を照射する装置が示されている。この装置は患部やツボに先端部を当てて光を照射することで治療を行うものである。
【特許文献１】特開２００１−１１２８４４号公報
【発明の開示】
【発明が解決しようとする課題】
【０００３】
ところで、本発明の発明者は、このようなLEDと水晶球を組み合わせた光照射健康器具を用いて被験者の額や頭頂部に光を照射すると、被験者をリラックス状態に導くことができ、特に、安眠に誘導するために非常に適していることを見出した。しかし、上記特許文献１に記載の発明のように人体に直接触れると、その部分の感触が被験者の気を散らし、十分なリラックス状態を導くことができない。これに対して補助者によって、もしくは、
被験者が自ら手で持って、一定距離をおいて光を照射することが考えられるが、常に補助者を確保することは困難であり、被験者が自ら手で持つ場合は筋肉が緊張してしまい、やはりリラックス状態に導くことは困難である。
そこで、このような問題に鑑みて、本発明は、水晶球を介してLED光を照射する光照射健康器具を安眠を誘導するものとして、一人でもリラックスして額等の部位に一定距離をおいて光を照射できるようにすることを課題とする。
【課題を解決するための手段】
【０００４】
上記課題を解決するために、本発明は次のような構成を有する。
請求項１に記載の発明は、電源により発光するLEDと、前記LEDの前方に載置される球状の水晶とを保持する光照射手段と、前記光照射手段の先端部と、水平面に寝た状態の使用者の所定の照射部位との間に所定の距離ができるように前記光照射手段を前記水平面もしくは前記水平面に平行な水平面に支持する支持手段とを有する光照射安眠器具である。なお、先端部とは光照射方向における光源から最も遠い部位をいう。また、所定の照射部位としては額や心臓が位置する胸や背中の表面などが例示される。なお、水平面は蒲団やベッドが例示されるが、これに枕を置くなど多少の凹凸がある場合を含む。
請求項２に記載の発明は、前記光照射安眠器具において、前記支持手段は、前記先端部の上下方向の位置を調整することができるものである。
請求項３に記載の発明は、前記光照射安眠器具において、前記支持手段は、前記光照射手段を着脱可能に支持するものである。
【発明の効果】
【０００５】
請求項１に記載の発明は、水平面に寝た状態の使用者の所定の照射部位と光照射手段の先端部とが支持手段によって所定の距離をもって保持されるので、使用者は補助者を要することなくリラックスした状態で照射部位に光を照射することができ、適切に使用者をリラックス状態に導くことが可能となる。
請求項２に記載の発明は、光照射手段の先端部の高さを調整することができるので、照射部位までの距離を適宜調整することができ、また、高さの異なる複数の部位に対しても適宜対応することができる。
請求項３に記載の発明は、光照射手段を支持手段から取り外すことができるので、補助者により照射を行ったり、手で持って照射する方がよい部位などに照射する場合などにも対応することができる。
【発明を実施するための最良の形態】
【０００６】
以下、本発明の実施形態について、図面を参照しながら説明する。図１に本実施形態に係る光照射安眠器具Xの斜視図を示す。光照射安眠器具Xは光を照射する光照射体１０と、光照射体１０を光の照射方向である先端部１０ａを下方に向けた状態で一定高さに保持する支持体２０とから構成される。支持体２０は、扁平な板状体からなる土台部２１、土台部２１から垂直に立設される棒状のポール部２２、ポール部２２の先端に水平に固定される棒状のアーム部２３、アーム部２３上に摺動可能に固定される光照射体の後端に嵌合するゴムキャップにより構成される保持体２４とからなる。ポール部２２は、下部のパイプ部２２ａと、このパイプの内径に緩やかに嵌入する上部の棒体からなる稼働部２２ｂとから構成され、パイプ部２２ａの先端近傍には外部と内部を貫く穴が形成され、穴には雌ネジが切られている。この雌ネジにはこれに係合し、前記稼働部２２ｂを前記パイプ部２２ａに固定するための固定ネジ２２ｃが取り付けられる。これにより、ポール部２２は稼働部２２ｂが一定範囲内でパイプ部２２ａ内を摺動することで伸縮し、固定ネジ２２ｃにより稼働範囲内で固定できるようになっている。すなわち、稼働部２２ｂと一体となっている光照射体１０の高さ方向の位置を調整することができる。また、光照射体１０を固定する保持体２４はゴムキャップにより嵌合固定しているので、光照射体１０を適宜取り外し、再び固定することが可能である。
光照射体１０は水晶を介して光を照射するものである。図２に光照射体１０の一部破断斜視図を示す。光照射体１０はＬＥＤライトよりなる光源部１１と、水晶を保持するヘッド部１２とから構成される。光源部１１は筒状の光源部本体１１ａ、光源部本体１１ａの先端部に保持される白色のＬＥＤ１１ｂ、ＬＥＤ１１ｂに電気を供給する乾電池１１ｃ、ＬＥＤ１１ｂを発光させるための電気回路１１ｄより構成される。ヘッド部２１は円錐台の底面に円筒を連結した形状をもち、内部に穴を持つヘッド本体１２ａ内に水晶球１２ｂが保持されている。なお、光源照射体１０はヘッド部１２に対して光源部本体１１ａをねじるように回動することで図示しないスイッチが入るようになっている。
【０００７】
次に、以上のような構成を有する、光照射安眠器具Ｘの使用方法について説明する。
ここでは、額に光を照射するものとする。使用者は床、ベッド、蒲団などに仰向けになった状態で、図３に示すように、光照射安眠器具Ｘを頭頂側に配置し、光照射体１０の先端部１０ａが額の真上にくるようにする。この際に、光照射体１０の先端１０ａと額との距離が約１ｃｍから３ｃｍになるようにパイプ部２２ｂの長さを予め調整しておく。なお、枕を使用する場合は、枕の分だけ高くしておく必要がある。次に、光照射体１０のスイッチを入れて数分から数十分間、額を照射する。その後、そのまま睡眠に入る。このように、使用者は光照射体を保持することなく、リラックスした状態で水晶を介したＬＥＤ光を額に受けることができるので、精神的に安定した状態を維持することができ、より質の高い睡眠を得ることができる。
なお、頭頂部への光照射も効果があることがわかっているが、この場合は、図４に示すように、机などの高い位置に光照射安眠器具Ｘを載置し、その下に使用者が座って、頭頂に光が当たるようにして使用することができる。
また、必要に応じて光照射体１０を保持体２４から取り外して、第三者やペットに照射したりしてもよい。
【図面の簡単な説明】
【０００８】
【図１】光照射安眠器具の斜視図である。
【図２】光照射体の一部破談斜視図である。
【図３】光照射安眠器具の使用状態を示す図である。
【図４】光照射安眠器具の他の使用状態を示す図である。
【符号の説明】
【０００９】
X    光照射安眠器具
１０  光照射体
１１ｂ  ＬＥＤ
１２ｂ  水晶球
２０  支持手段
【図１】
2006116108.tif 000003
【図２】
2006116108.tif 000004
【図３】
2006116108.tif 000005
【図４】
2006116108.tif 000006